(57)【要約】【課題】決められた数の錠剤を取り出しやすい錠剤収納容器を提供すること。【解決手段】錠剤１００を出し入れする開口部２２を有する収納部２と、収納部２に蓋をする蓋部３とを備え、蓋部３は、開口部２２を閉じるように配置された閉止部３１と、閉止部３１の周囲に形成され、開口部２２の外縁と嵌合又は螺合する縁部３２とを有し、閉止部３１の面には、錠剤１００が嵌る凹部３４が所定の数形成されている、錠剤収納容器であり、前記所定の数の凹部は、前記閉止部の中央部の面に形成されており、前記閉止部の前記中央部の面は、前記縁部の形成方向に突出して形成されており、前記縁部の先端は、前記閉止部の前記中央部の面の位置よりも突出していることを特徴とする剤収納容器である。【選択図】図３
2014213875.tif 000002
【特許請求の範囲】
【請求項１】
錠剤を出し入れする開口部を有する収納部と、
前記収納部に蓋をする蓋部とを備え、
前記蓋部は、
前記開口部を閉じるように配置された閉止部と、
前記閉止部の周囲に形成され、前記開口部の外縁と嵌合又は螺合する縁部とを有し、
前記閉止部の面には、前記錠剤が嵌る凹部が所定の数形成されている、錠剤収納容器。
【請求項２】
前記所定の数の凹部は、前記閉止部の中央部の面に形成されており、
前記閉止部の前記中央部の面は、前記縁部の形成方向に突出して形成されており、
前記縁部の先端は、前記閉止部の前記中央部の面の位置よりも突出している、請求項１記載の錠剤収納容器。
【請求項３】
前記所定の数の凹部は、前記閉止部の中央部の面に形成されており、
前記閉止部の中央部の面は、前記縁部の形成方向に突出して形成されており、
前記閉止部の前記中央部の面には、前記所定の数の凹部の周囲に突条部が形成されている、請求項１記載の錠剤収納容器。
【請求項４】
前記突条部は２本形成されており、その２本の突条部は、一方向に向かって間隔が小さくなるように配置されている、請求項３記載の錠剤収納容器。
【発明の詳細な説明】
【技術分野】
【０００１】
本発明は、錠剤収納容器に関する。
【背景技術】
【０００２】
薬、サプリメントなどの錠剤を摂取する際、ユーザは、蓋を開けて瓶を斜めに向けることによって、手などの上に摂取する数の錠剤を取り出して、決められた数の錠剤を摂取していた。
しかしながら、高齢のユーザの場合、細かい動作を行い難いため、決められた量の錠剤を取り出すことは困難であり、錠剤を落下させたりすることがあった。  そこで、錠剤を取り出しやすい粒状物収納容器が提案されている（例えば、特許文献１参照。）。  図１６は、特許文献１に示す粒状物収納容器の正断面構成図である。図１６に示すように、蓋体１０００の天板１１００の内側に粒状物収容部１０３０が設けられている。この粒状物収容部１０３０は、対向する第１の凹状部１０３１と第２の凹状部１０３２と、これらを連結する連結部１０３３によって構成されている。
【０００３】
この粒状物収納容器を逆さに倒立させることによって、錠剤が第１の凹状部１０３１に載る。そして、粒状物収納容器を元の正立状態に戻すことによって、第１の凹状部１０３１内に載っていた錠剤が、第２の凹状部１０３２に移動する。そして、蓋体１０００を容器本体１０２０から取り外すことによって、錠剤を取り出すことが出来る。
【先行技術文献】
【特許文献】
【０００４】
【特許文献１】特開平９―２７６３７５号公報
【発明の概要】
【発明が解決しようとする課題】
【０００５】
しかしながら、上記特許文献１に示す錠剤収容瓶では、第１の凹状部１０３１及び第２の凹状部１０３２に載る錠剤の数を決めることが出来ないため、摂取する必要な量を正確に取り出すことは困難であった。また、第１の凹状部１０３１及び第２の凹状部１０３２を、錠剤が１個しか載らない大きさに形成した場合には、必要な摂取量を取り出すためには、複数回繰り返す必要があり、手間がかかるものであった。
【０００６】
本発明は、従来の課題を考慮して、決められた数の錠剤を取り出しやすい錠剤収納容器を提供することを目的とする。
【課題を解決するための手段】
【０００７】
上記目的を達成するために、第１の本発明は、
錠剤を出し入れする開口部を有する収納部と、
前記収納部に蓋をする蓋部とを備え、
前記蓋部は、
前記開口部を閉じるように配置された閉止部と、
前記閉止部の周囲に形成され、前記開口部の外縁と嵌合又は螺合する縁部とを有し、
前記閉止部の面には、前記錠剤が嵌る凹部が所定の数形成されている、錠剤収納容器である。
【０００８】
第２の本発明は、
前記所定の数の凹部は、前記閉止部の中央部の面に形成されており、
前記閉止部の前記中央部の面は、前記縁部の形成方向に突出して形成されており、
前記縁部の先端は、前記閉止部の前記中央部の面の位置よりも突出している、第１の本発明の錠剤収納容器である。
【０００９】
第３の本発明は、
前記所定の数の凹部は、前記閉止部の中央部の面に形成されており、
前記閉止部の中央部の面は、前記縁部の形成方向に突出して形成されており、
前記閉止部の前記中央部の面には、前記所定の数の凹部の周囲に突条部が形成されている、第１の本発明の錠剤収納容器である。
【００１０】
第４の本発明は、
前記突条部は２本形成されており、その２本の突条部は、一方向に向かって間隔が小さくなるように配置されている、第３の本発明の錠剤収納容器である。
【発明の効果】
【００１１】
本発明によれば、決められた数の錠剤を取り出しやすい錠剤収納容器を提供することが出来る。
【図面の簡単な説明】
【００１２】
【図１】本発明にかかる実施の形態１における錠剤収納容器の斜視構成図
【図２】本発明にかかる実施の形態１における収納部の斜視構成図
【図３】本発明にかかる実施の形態１における錠剤収納容器の上部断面構成図
【図４】本発明にかかる実施の形態１における蓋部の斜視構成図
【図５】図３のＳＳ´間における断面構成図
【図６】本発明にかかる実施の形態１における錠剤収納容器から錠剤を取り出す際の動作を説明するための図
【図７】本発明にかかる実施の形態１における錠剤収納容器から錠剤を取り出す際の動作を説明するための図
【図８】本発明にかかる実施の形態１における錠剤収納容器から錠剤を取り出す際の動作を説明するための図
【図９】本発明にかかる実施の形態２における錠剤収納容器の蓋部の斜視構成図
【図１０】図９のＴＴ´間断面構成図
【図１１】本発明にかかる実施の形態２における錠剤収納容器から錠剤を取り出す際の動作を説明するための図
【図１２】本発明にかかる実施の形態２における錠剤収納容器から錠剤を取り出す際の動作を説明するための図
【図１３】（ａ）本発明にかかる実施の形態２における錠剤収納容器の蓋部の変形例を示す斜視構成図、（ｂ）本発明にかかる実施の形態２における錠剤収納容器の蓋部の変形例を示す斜視構成図、
【図１４】（ａ）本発明にかかる実施の形態１における錠剤収納容器の蓋部の変形例を示す斜視構成図、（ｂ）図１４（ａ）のＶＶ´間の断面構成図
【図１５】（ａ）本発明にかかる実施の形態１における錠剤収納容器の蓋部の変形例を示す斜視構成図、（ｂ）図１５（ａ）のＷＷ´間の断面構成図
【図１６】従来の粒状物収納容器の構成図
【図１７】本発明にかかる実施の形態１における錠剤収納容器の蓋部の変形例を示す斜視構成図
【発明を実施するための形態】
【００１３】
以下、本発明にかかる錠剤収納容器について説明する。
【００１４】
（実施の形態１）
図１は、本発明にかかる実施の形態１の錠剤収納容器１の斜視構成図である。図１に示すように、本実施の形態１の錠剤収納容器１は、錠剤１００を収納する収納部２と、収納部２の蓋をする蓋部３を備えている。
【００１５】
図２は、本実施の形態１の収納部２の斜視構成図である。図２に示すように、収納部２は、上部に首部２１を有しており、首部２１の径は、首部２１以外の他の部分の径よりも小さくなっている。
【００１６】
そして首部２１の上側には、錠剤１００を出し入れするための開口部２２が形成されている。また、首部２１の周囲には、ネジ部２１ａが形成されている。
【００１７】
図３は、本実施の形態１の錠剤収納容器１の上部の断面構成図である。図４は、本実施の形態１の蓋部３の斜視構成図である。図５は、図４のＳＳ´間の断面構成図である。尚、図４、５の蓋部３は、図１及び図３における状態と上下逆となっている。図３〜図５に示すように、本実施の形態１の蓋部３は、開口部２２を塞ぐように、開口部２２に対向して配置された閉止部３１と、閉止部３１の周囲に形成された縁部３２とを有している。そして、閉止部３１は、その中央部３１０が、縁部３２が形成されている方向に向かって、迫り出すように突出して形成されている。これら中央部３１０と縁部３２の間には、首部２１がはいる空間が形成されており、縁部３２の内側には、首部２１の外側に形成されたネジ部２１ａと螺合するネジ部３２ａが形成されている。
【００１８】
図３及び図５に示すように、縁部３２の先端３２ｂは、中央部３１０の面３１０ａよりも高い位置に形成されている。この閉止部３１の中央部３１０の面３１０ａが、本発明の閉止部の面の一例に相当する。
【００１９】
上記中央部３１０の内側の面３１０ａには、錠剤１００が嵌る凹部３４が形成されている。尚、本実施の形態１では、一回に摂取する錠剤１００の数を３個と規定し、凹部３４が３つ形成されている。
【００２０】
次に、錠剤１００の取り出しについて説明する。
【００２１】
蓋部３を回転させることにより、収納部２から蓋部３が外され、蓋部３の中央部３１０の面３１０ａが上側に向けられる。そして、図６に示すように、収納部２を傾けて、蓋部３の中央部３１０の面３１０ａ上に錠剤１００が取り出される。
【００２２】
その後、図７に示すように、蓋部３を揺する（矢印Ｐ参照）ことにより、面３１０ａ上に載っている複数の錠剤１００のうち３つの錠剤１００が、それぞれ凹部３４に嵌り込む。尚、図７では、凹部３４に嵌っている錠剤１００については、１００ａとして符号が付されている。
【００２３】
このように、３つの錠剤１００が凹部３４に嵌り込んだ後、図８に示すように、蓋部３を収納部２の上方で傾けることにより、凹部３４に嵌った錠剤１００ａ以外の余分な錠剤１００が収納部２内に落下し、戻される。尚、先端３２ｂの位置と中央部３１０の面３１０ａの位置と凹部３４の形状は、蓋部３を傾けた際に、凹部３４に嵌っている錠剤１００ａが落下せず、凹部３４に嵌っていない錠剤１００が縁部３２を乗り越えることが出来る程度に設定されている。
【００２４】
以上のように動作することにより、摂取する必要数の錠剤を簡単に取り出すことが可能となる。
【００２５】
又、上記動作により、摂取必要な数を取り出すことが出来るため、何回も同じ動作を繰り返す必要なく、手間がかからない。
【００２６】
（実施の形態２）
次に、本発明にかかる実施の形態２における錠剤収納容器について説明する。本実施の形態２の錠剤収納容器は、実施の形態１と基本的な構成は同じであるが、蓋部の構成が異なっている。そのため、本相違点を中心に説明する。
【００２７】
図９は、本発明にかかる実施の形態２における蓋部４の斜視構成図である。又、図１０は、図９のＴＴ´間の断面構成図である。
【００２８】
図９及び図１０に示すように、本実施の形態２の蓋部４は、実施の形態１と異なり、縁部３２の先端３２ｂの位置が、中央部３１０の面３１０ａと実質上同一平面上に配置されている。そして、凹部３４の外側に２本の突条部３５が形成されている。この２本の突条部３５は、一方向に向かって互いの間隔が狭くなるように形成されている。この間隔が狭い側の２本の突条部３５の端の間の部分が、３５ａとして示されている。
【００２９】
次に、本実施の形態２の錠剤収納容器１０から錠剤１００を取り出す際の動作について説明する。
【００３０】
図１１に示すように、収納部２を傾けることにより、面３１０ａの、２本の突条部３５によって挟まれている部分に複数の錠剤１００が載せられる。
【００３１】
そして、実施の形態１と同様に、蓋部４を揺することによって、３つの凹部３４のそれぞれに錠剤１００が嵌り込む。
【００３２】
錠剤１００が凹部３４に嵌った後に、図１２に示すように、２本の突条部３５の間部分３５ａ側を開口部２２に向けて蓋部４を傾けると、錠剤１００は２本の突条部３５に沿って、間部分３５ａを通って収納部２へと落下し、収納される。
【００３３】
以上のように、本実施の形態２では、２本の突条部３５を設けることによって、床などへの落下を低減し、より容易に余分な錠剤１００を収納部２に収納することが出来る。
【００３４】
尚、本実施の形態２では、図１０に示すように面３１０ａと先端３２ｂの位置が実質上同一平面上であるが、面３１０ａの方が、先端３２ｂよりも高くなるように形成されていても良い。又、先端３２ｂの方が、面３１０ａよりも高くなるように形成されていても良いが、余分な錠剤１００を収納部２に戻しやすいように、先端３２ｂの位置が突条部３５よりも高くならない方が好ましい。
【００３５】
又、本実施の形態１では、突条部３５は直線であったが、曲線であってもよい。例えば、図１３（ａ）に示すような構成であってもよい。図１３（ａ）に示す蓋部５では、面３１０ａの外周に沿うように湾曲した２本の突条部３６が設けられている。そして、これら２本の突条部３６の端には間部分３６ａが形成されており、この間部分３６ａを通して、蓋部１４に載っている余分な錠剤１００が収納部２へと戻される。
【００３６】
又、図１３（ａ）では、突条部３６は２本設けられていたが、１本であってもよい。このような構成の蓋部１５が図１３（ｂ）に示されている。図１３（ｂ）に示す蓋部６では、面３１０ａの外周に沿うように湾曲した１本の突条部３７が形成されており、突条部３７の両端には間部分３７ａが形成されている。そして、この間部分３７ａを通して、蓋部６に載っている余分な錠剤１００が収納部２へと戻される。
【００３７】
尚、このような錠剤が通る部分が、実施の形態１の蓋部３の縁部３２に設けられていても良い。図１４（ａ）は、このような蓋部７の斜視構成図であり、図１４（ｂ）は、図１４（ａ）のＶＶ´間の断面構成図である。図１４（ａ）、（ｂ）に示す蓋部７は、その縁部３２に切り欠き３２０が形成されており、その切り欠き３２０を通して、余分な錠剤１００が収納部２へと戻される。
【００３８】
又、上記実施の形態１、２では、中央部３１０の面３１０ａは、縁部３２の先端３２ｂの側に突出していたが、突出していなくても良い。図１５（ａ）は、実施の形態１の蓋部３の変形例である蓋部８の斜視構成図であり、図１５（ｂ）は、図１５（ａ）のＷＷ´間の断面構成図である。
【００３９】
図１５（ａ）、（ｂ）に示す蓋部８では、閉止部３１の中央部３１０が突出しておらず。閉止部３１の面３１ａは平面となっている。そして、この面３１ａに、３つの凹部３４が形成されている。尚、このような構成の蓋部８では、凹部３４に嵌っていない余分な錠剤を収納部２内に戻しやすくするように、縁部３２の高さがなるべく低い方が好ましい。
【００４０】
又、上記実施の形態１、２では、収納部２の首部２１と、蓋部３、４、５、６、７、８はネジ部の螺合によって固定されていたが、このような構成に限らず、ネジ部が形成されず、嵌合して固定される構成であってもよい。
【００４１】
又、上記実施の形態１、２では、３個の凹部３４が形成されていたが、３個に限らず、一回の摂取量などに合わせた数の凹部３４が形成されていればよい。
【００４２】
又、本実施の形態１、２では、中央部３１０の面３１０ａは平面であったが、曲面であってもよい。図１７は、図５に示す実施の形態１の変形例の蓋部９の断面構成図である。図１７に示す蓋部９の中央部３１０の面３１００ａは、図中上側に向かって膨らむように湾曲している。尚、図中下側に向かって凹むように湾曲していてもよい。
【産業上の利用可能性】
【００４３】
本発明の錠剤収納容器は、決められた数の錠剤を取り出しやすい効果を有し、サプリメントや薬の容器などとして有用である。
【符号の説明】
【００４４】
１  錠剤収納容器
２  収納部
３、４、５、６、７、８  蓋部
２１  首部
２１ａ  ネジ部
２２  開口部
３１  閉止部
３２  縁部
３２ａ  ネジ部
３２ｂ  先端
３４  凹部
３５、３６  突条部
３１０  中央部
３１０ａ  面
【図１】
2014213875.tif 000003
【図２】
2014213875.tif 000004
【図３】
2014213875.tif 000005
【図４】
2014213875.tif 000006
【図５】
2014213875.tif 000007
【図６】
2014213875.tif 000008
【図７】
2014213875.tif 000009
【図８】
2014213875.tif 000010
【図９】
2014213875.tif 000011
【図１０】
2014213875.tif 000012
【図１１】
2014213875.tif 000013
【図１２】
2014213875.tif 000014
【図１３】
2014213875.tif 000015
【図１４】
2014213875.tif 000016
【図１５】
2014213875.tif 000017
【図１６】
2014213875.tif 000018
【図１７】
2014213875.tif 000019